【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】  血液成分ドナーに対応する血液成分ドナー識別子と、
血液成分収集器械のオペレータに対応するオペレータ識別子と、
該血液成分ドナーから血液成分を収集するための血液成分収集器械と、
該血液成分収集器械に動作可能に接続されているシステムコンピュータであって、該システムコンピュータは、血液成分収集プロセスの少なくとも一部を定義する血液成分収集アプリケーションを作動し、該血液成分収集アプリケーションは、該オペレータと該血液成分ドナー識別子とを関連付ける、システムコンピュータと、
読み取り装置を有し、該血液成分ドナー識別子および該オペレータ識別子を受け取る該システムコンピュータに動作可能に接続され、かつ、該システムコンピュータに該血液成分識別子および該オペレータ識別子を伝送するインターフェースであって、該読み取り装置は、該血液成分収集器械に近い位置から該血液成分ドナー識別子および該オペレータ識別子の個々の入力を受け取る、インターフェースと
を含む、血液成分収集設備の処理を管理するためのシステム。
【請求項２】  前記血液成分収集器械は、血液成分収集器械識別子をさらに含み、前記読み取り装置は、該血液成分収集器械に近い位置からの該血液成分収集器械の入力を受信し、前記血液成分収集アプリケーションは、前記血液成分ドナー識別子および前記オペレータ識別子と該血液成分収集器械識別子とを関連付ける、請求項１に記載のシステム。  
【請求項３】  前記読み取り装置は、ほとんど同時に次々と、血液成分収集より前に、前記血液成分収集器械識別子、前記血液成分ドナー識別子および前記オペレータ識別子の個々の入力を受け取る、請求項２に記載のシステム。
【請求項４】  血液成分収集キットの識別子を有する血液成分収集キットをさらに含み、該血液成分収集キット識別子は、メモリに該血液成分収集キット識別子を格納し、前記血液成分ドナー識別子および前記血液収集器械識別子の少なくとも１つと該血液成分収集キット識別子とを関連付ける前記システムコンピュータに伝送される、請求項２に記載のシステム。
【請求項５】  前記読み取り装置は、前記血液成分収集器械に近い位置から前記血液成分収集キット識別子の個々の入力を受け取る、請求項４に記載のシステム。
【請求項６】  前記システムコンピュータを前記血液成分収集器械に動作可能に接続するシステム通信コンジットと、
該システムコンピュータと該血液成分収集器械との間の該通信コンジット上の通信を容易にするシステム通信プロトコルと
をさらに含む、請求項１に記載のシステム。
【請求項７】  前記システム通信プロトコルはイーサネット（Ｒ）またはＴＣＰ／ＩＰである、請求項６に記載のシステム。
【請求項８】  ネットワーク通信コンジットを介して、前記システムコンピュータに動作可能に接続されるネットワークサーバと、
該システムコンピュータに動作可能接続され、前記血液成分収集プロセスにアクセスすることを容易にする、ウェブインターフェースであって、該システムコンピュータからデータを受け取る、ウェブインターフェースと
をさらに含む、請求項６に記載のシステム。
【請求項９】  前記システムコンピュータに動作可能に接続され、ウェブブラウザに動作可能に応答しているウェブサーバをさらに含み、該システムコンピュータに格納された情報はアクセスされ得る、ウェブサーバをさらに含む、請求項８に記載のシステム。
【請求項１０】  前記複数の血液成分収集器械の少なくとも１つは、第１の通信プロトコルを有する既存の血液成分収集器械であり、
該システムは、
血液成分収集設備における前記システムコンピュータに該複数の血液成分収集器械のそれぞれを動作可能に接続している通信コンジットと、
該システムコンピュータと該血液成分収集器械のそれぞれとの間の該通信コンジット上の通信を容易にする第２のシステム通信プロトコルと、
該少なくとも１つの現存の血液成分収集器械と、該システムコンピュータとの間の該通信コンジットに動作可能に接続されているプロトコル変換器であって、該少なくとも１つの現存の血液成分収集器械と、該システムコンピュータとの間の通信をする該第１の通信プロトコルを該第２の通信プロトコルに変換する、プロトコル変換器とを含む、請求項１に記載のシステム。
【請求項１１】  前記システムコンピュータは、前記複数の血液成分収集器械のいずれかから血液成分収集プロセス情報を受け取り、前記メモリに該情報を格納する、請求項１０に記載のネットワークのためのシステム。
【請求項１２】  前記第２の通信プロトコルはイーサネット（Ｒ）またはＴＣＰ／ＩＰである、請求項１０に記載のシステム。
【請求項１３】  前記血液成分収集設備に関連付けられた識別子を入力するための読み取り装置をさらに含み、該読み取り装置は、オペレータ識別子、血液成分収集器械識別子、血液成分ドナー識別子および血液成分収集キット識別子の少なくとも１つを受け取るタッチパッド、キーパッド、光学スキャナーおよび磁気スキャナーの少なくとも１つを含む、請求項１に記載のシステム。
【請求項１４】  前記コンピュータは、サーバであり、前記インターフェースは、ウェブブラウザを含む、請求項１０に記載のシステム。
【請求項１５】  前記システムコンピュータは、血液成分収集プロセスの少なくとも１つのステップを定義する血液成分収集処理を作動し、
前記インターフェースは、前記血液成分ドナー識別子および該オペレータ識別子を受け取り、該血液成分収集処理の該少なくとも１つのステップの性能に近い該システムコンピュータに該オペレータ識別子を伝送する、請求項１に記載のシステム。
【請求項１６】  血液成分収集処理は、血液成分収集初期化プロセス、アームプレッププロセス、リムーブ血液成分プロセスおよびディスコネクト血液成分ドナープロセスからなるグループから選択された少なくとも１つのプロセスを含む、請求項１５に記載のシステム。
【請求項１７】  前記システムコンピュータに動作可能に接続されている第２のインターフェースであって、前記血液成分収集プロセスに関連したデータにアクセスを提供する第２のインターフェースをさらに含む、請求項１５に記載のシステム。
【請求項１８】  前記第２のインターフェースは、遠隔血液成分収集設備データにアクセスを提供する、請求項２０に記載のシステム。
【請求項１９】  前記第２のインターフェースは、前記血液成分収集設備とのオペレータのやりとりのレコードにアクセスを提供し、該血液成分収集設備との該オペレータのやりとりは、該インターフェースを介して該オペレータによる該血液成分収集プロセスのための前記メモリに付随して記録される、請求項１７に記載のシステム。
【請求項２０】  前記第２のインターフェースは、前記ドナーに関連した情報および前記血液成分収集器械に関連した情報にアクセスを提供する、請求項１７に記載のシステム。
【請求項２１】  通信ネットワークを介して前記システムコンピュータに動作可能に接続されている遠隔サーバであって、遠隔血液成分収集設備をモニタし、かつ、見守る遠隔サーバをさらに含む、請求項１８のシステム。
【請求項２２】  第２のインターフェースは、該第２のインターフェース内のブラウザを介して前記リモートサーバおよび該リモータサーバからの前記システムコンピュータによって受け取られたデータにアクセスを提供する、請求項２１に記載のシステム。
【請求項２３】  血液成分収集初期化プロセスは、血液成分器械識別子、血液成分収集プロセス識別子、前記ドナー識別子および前記オペレータ識別子を要求する、請求項１６に記載のシステム。
【請求項２４】  前記リムーブ血液成分プロセスは、取り除かれるべき血液成分の計算された量および取り除かれた血液成分の実際の量の確認をさらに要求する、請求項１６に記載のシステム。
【請求項２５】  血液成分ドナーから血液成分を収集する血液成分収集器械を有する血液成分収集設備の処理を管理する方法であって、
血液成分ドナーに対応する血液成分ドナー識別子を受け取るステップと、
血液成分収集器械のオペレータに対応するオペレータ識別子を受け取るステップと、
血液成分収集プロセスの少なくとも一部を実施するステップと、
該オペレータと該血液成分ドナー識別子とを関連付けるステップと、
読み取り装置を有するインターフェースから該血液成分ドナー識別子および該オペレータ識別子を受け取るステップであって、該血液成分ドナー識別子および該オペレータ識別子は、該血液成分収集器械に近い位置から受信可能である、ステップと
を包含する、方法。
【請求項２６】  前記血液成分収集器械識別子を受け取るステップであって、
該血液成分収集器械識別子は、前記血液成分収集器械に近い位置から受け取られる、ス
テップと、
前記血液成分ドナー識別子および前記オペレータ識別子と該血液成分収集器械識別子と
を関連付けるステップと
をさらに包含する、請求項２５に記載の方法。
【請求項２７】  ほとんど同時に次々と、血液成分収集より前に前記血液成分収集器械識別子、前記血液成分ドナー識別子および前記オペレータ識別子の個々の入力を受け取るステップをさらに包含する、請求項２６に記載の方法。
【請求項２８】  血液成分収集キット識別子を受け取るステップであって、該血液成分収集キット識別子が、前記メモリに該血液成分収集キット識別子を格納し、前記血液成分ドナー識別子および前記血液収集器械識別子の少なくとも１つと該血液成分収集キット識別子とを関連付ける前記システムコンピュータに伝送され得る、ステップをさらに包含する、請求項２７に記載の方法。
【請求項２９】  前記血液成分収集器械に近い位置から前記血液成分収集キット識別子の個々の入力を受け取るステップをさらに包含する、請求項２５に記載の方法。  
【請求項３０】  現存の血液成分収集器械を改良することをさらに含み、
第２の通信プロトコルを有する現存する血液成分収集器械を変更するステップであって、該現存の血液成分収集器械と前記コンピュータシステムとの間の通信のために該第２の通信プロトコルを前記第１の通信プロトコルに変換するプロトコル変換器を含む、ステップを包含する、請求項２５に記載方法。
【請求項３１】  前記コンピュータに動作可能に接続されたインターフェースを提供するステップをさらに含み、該インターフェースは、該システムコンピュータに情報を伝送し、かつ、該システムから情報を受信し、オペレータ識別子、血液成分収集器械識別子、血液成分ドナー識別子、血液成分収集キット識別子および血液成分収集キット識別子の少なくとも１つを受け取るタッチパッド、光学スキャナーおよび磁気スキャナーの少なくとも１つを包含する、請求項３０に記載の方法。
【請求項３２】  血液成分収集プロセスの少なくとも１つのステップに対応する情報を伝送するステップであって、血液成分収集初期化処理、アームプレップ処理、リムーブ血液成分処理およびディスコネクト血液成分ドナー処理からなるグループから選択される、ステップと、
該血液成分収集プロセスの該少なくとも１つのステップの性能に近い前記オペレータ識別子を受け取るステップと
をさらに包含する、請求項２５に記載の方法。